(57)【要約】【課題】メガネのフロントフレームに取付けられてフロント部を支える為の鼻当てパットであって、鼻との接触面が大きくなって滑り難く、又滑り落ちたフロント部を持ち上げた場合にあっても角部が当って痛みを感じることのない鼻当てパットの提供。【解決手段】鼻当てパット６の肉厚を大きくして背面１を凹状化し、そして下端部３を背面側へ反らせると共に下端部当り面２を滑らかな曲面にて湾曲させた形状としている。【選択図】        図２
2005070126.tif 000002
【特許請求の範囲】
【請求項１】
メガネのフロントフレームに取付けられてフロント部を支える為の鼻当てパットにおいて、下端部を背面側へ反らせると共に下端部当り面を滑らかな曲面にて湾曲させたことを特徴とするメガネフレームの鼻当てパット。
【請求項２】
メガネのフロントフレームに取付けられてフロント部を支える為の鼻当てパットにおいて、鼻当てパットの肉厚を大きくして背面を凹状化し、そして下端部を背面側へ反らせると共に下端部当り面を滑らかな曲面にて湾曲させたことを特徴とするメガネフレームの鼻当てパット。
【発明の詳細な説明】
【０００１】
【発明の属する技術分野】
本発明はメガネを顔に掛けた場合に、そのフロント部を鼻に当てて支える為の鼻当てパットに関するものである。
【０００２】
【従来の技術】
図４は一般的なメガネフレームを示す外観図であり、フロントフレーム（イ）の両側にはツル（ロ）、（ロ）が折畳み出来るように取付けられている。そして、フロントフレーム（イ）のリム（ハ）、（ハ）にはレンズが嵌められ、ツル（リ）、（リ）の先端部は耳に掛けられると共に、フロント部はフロントフレーム（イ）の中央部に対を成して取付けられている鼻当てパット（二）、（二）が鼻に当って支持される。
【０００３】
鼻当てパット（二）は図５に示すごとく一般に樹脂製で概略小判形を成し、鼻に接する当り面（ホ）は滑らかな曲面となっていて、肌当りを良好ならしめた形状と成っている。そして、肌当りをさらに良くすると共に、メガネを長時間にわたって掛けていても痛みを感じないように、シリコン樹脂製の柔らかい材質を用いることも多い。
【０００４】
鼻当てパットの背面側へは止着部（ヘ）が突出し、この止着部（ヘ）はフロントフレーム（イ）から延びる脚先端に設けている箱にネジ止めされているが、完全固定状態ではなく、鼻当てパット（ニ）の向きが変わり得るように多少のガタ付き（動き）が与えられていて、個人の鼻形状になじむことが出来る。
【０００５】
図６は従来の鼻当てパット（ニ）が鼻（ト）に当って接触している状態を示している。鼻（ト）の形状にも左右されるが、当り面（ホ）の全体が鼻（ト）に接することはなく、同図に示すように鼻当てパット（ニ）の下端部が接する。鼻（ト）の形状は概略二等辺三角形のように下方を拡大している為に、フロント部がズレて下方へ滑る場合には、鼻当てパット（ニ）の向きが変わって比較的大きな接触面となる。しかし、滑り落ちたフロント部を持ち上げて正しい位置に戻す場合、両鼻当てパット（ニ）、（ニ）が接する鼻（ト）の接触面間距離は小さくなる。
【０００６】
鼻当てパット（ニ）の向きが同じ傾斜角であるならば鼻（ト）との間に隙間が発生し、フロント部を所定の位置に支えることは出来ない。フロント部が再び滑り落ちることなく所定の位置に保持する為には、鼻当てパット（ニ）の向きを変えなくてはならない。
【０００７】
すなわち、同図において鼻当てパット（ニ）を右回り（時計回り）に回転するならば、両接触面間距離が小さくなった鼻（ト）の上部に鼻当てパット（ニ）が接することが出来、そしてフロント部の滑りを防止出来る。ところが、従来の小判形の鼻当てパット（ニ）の当り面（ホ）は滑らかな凸状を成しているが、下端の角部（チ）に接してしまい痛みを感じる。そして、角部（チ）が接することで鼻（ト）との接触面は一段と小さくなり、再び滑り落ち易くなる。
【０００８】
【発明が解決しようとする課題】
このように、従来の鼻当てパットには上記のごとき問題がある。本発明が解決しようとする課題はこの問題点であって、鼻との接触面が大きくなって滑り難く、また、滑り落ちたフロント部を持ち上げた場合にあっても角部が当って痛みを感じることのないメガネフレームの鼻当てパットを提供する。
【０００９】
【課題を解決する為の手段】
本発明に係る鼻当てパットの特徴は次の通りである。
（１）    従来の鼻当てパットに比較してその形状寸法を大きくし、重量を増している。鼻に接する鼻当てパットを大きくすると共に重くすることで、フロント部を安定して支持することが可能となる。すなわち、顔に掛けたフロント部の落ち着きが向上する。
【００１０】
（２）    鼻当てパットの下端部の当り面形状を大きく湾曲し、鼻と接しても角当りしない形状となっている。すなわち、滑り落ちたフロント部を持ち上げる場合、鼻当てパットの向きは変化するが、角当りしないように下端部の当り面は背面側へ反るように湾曲した形状を成している。従って、鼻当てパットの角当りを防止すると共に、鼻との接触面が大きくなることで、フロント部の滑りを防止し、メガネを正しく掛けることが出来る。以下、本発明に係る実施例を図面に基づいて詳細に説明する。
【００１１】
【実施例】
図１はメガネを掛けた状態の正面であり、図２は本発明の鼻当てパットを示す実施例である。従来の鼻当てパットを表している前記図５と比較しても明らかなように、背面１を凹状化すると共に、肉厚を大きくした形状とし、当り面２は大きく湾曲した曲面となっている。特に下端部３は背面側へ反っていて、当り面２もその形状になじんだ湾曲面を呈している。そして、背面側へは止着部４を突出し、この止着部４は従来と同じようにフロントフレームから延びる脚先端の箱に取付けられる。
【００１２】
図３は前記図６に相当するもので、鼻５の上下位置での鼻当てパット６の接触状態を示している。概略二等辺三角形をした鼻５の下側に接する場合、すなわち、フロント部が滑り落ちた状態では図１における両接触面間距離Ｌは拡大される為に、鼻当てパット６は倒れた状態で鼻と接する。すなわち、止着部４を中心として反時計方向に回転して比較的大きな接触面を呈し得る。
【００１３】
そこで、フロント部を持ち上げて元の位置に戻す場合、両接触面間距離Ｌは小さくなって、この接触面に鼻当てパット６が接する為には時計方向に回転しなくてはならない。そこで、接触面には鼻当てパット６の下端部３が接することに成るが、本発明では大きく背面側へ反った形状を成して湾曲した当り面２となっているために角当りすることはない。しかも、背面側へ反っていることで、下端部３での接触面は大きく痛みを感じることもなくなる。以上述べたように、本発明に係るメガネフレームの鼻当てパットは特にその下端部を背面側へ反って当り面を湾曲した形状を成しているもので、次のような効果を得ることが出来る。
【００１４】
【発明の効果】
本発明の鼻当てパットはフロント部の位置がどこにあっても鼻との接触面は大きくなり、長時間メガネを掛けても痛みを感じることはなく、また、フロント部は滑り落ち難い。すなわち、鼻当てパットの形状は特に下端部が背面側へ大きく反っていて、下端部での当り面は滑らかに湾曲している為めである。また、鼻当てパットの肉厚を大きくてその重量を増すならば、メガネを掛けた際のフロント部の落ち着きが向上し、良好なフィット感が得られる。
【図面の簡単な説明】
【図１】メガネを掛けた場合の正面図。
【図２】本発明は鼻当てパットを示す実施例。
【図３】鼻の接触位置と鼻当てパットの関係。
【図４】一般的なメガネフレーム。
【図５】従来の鼻当てパット。
【図６】従来の鼻当てパットと鼻の接触位置との関係。
【符号の説明】
１  背面
２  当り面
３  下端部
４  止着部
５  鼻
６  鼻当てパット
【図１】
2005070126.tif 000003
【図２】
2005070126.tif 000004
【図３】
2005070126.tif 000005
【図４】
2005070126.tif 000006
【図５】
2005070126.tif 000007
【図６】
2005070126.tif 000008